(57)【要約】【課題】上記ＨＳＤＰＡにおいて高速スループットが実現可能な環境において、ＨＳ−ＳＣＣＨの品質をより高品質に設定することによって、より安定して高速な伝送速度を実現する無線通信制御システムを提供する。【解決手段】複数の移動局に対して制御信号を送信する共有制御チャネルの送信電力を制御する無線通信制御システム１０は、共有制御チャネルの送信電力の下限値を設定し、共有制御チャネルの送信電力が下限値よりも小さくなった場合に、共有制御チャネルの送信電力を下限値に制御する送信電力下限値設定部１３を備える。【選択図】図２
2006303642.tif 000002
【特許請求の範囲】
【請求項１】
複数の移動局に対して制御信号を送信する共有制御チャネルの送信電力を制御する無線通信制御システムであって、
前記共有制御チャネルの送信電力の下限値を設定し、前記共有制御チャネルの送信電力が前記下限値よりも小さくなった場合に、前記共有制御チャネルの送信電力を前記下限値に設定する送信電力下限値設定部を備えることを特徴とする無線通信制御システム。
【請求項２】
前記送信電力下限値設定部は、各移動局に個別に送信される個別チャネルの送信電力にオフセットをかけることによって、前記共有制御チャネルの送信電力を制御することを特徴とする請求項１に記載の無線通信制御システム。
【請求項３】
前記送信電力下限値設定部は、前記オフセットを前記共有制御チャネルの品質に基づいて制御することを特徴とする請求項２に記載の無線通信制御システム。
【請求項４】
前記共有制御チャネルの品質は、前記共有制御チャネルのブロック誤り率であることを特徴とする請求項３に記載の無線通信制御システム。
【請求項５】
前記送信電力下限値設定部は、前記下限値を、移動局のサービス種別、契約種別、受信器種別、セル種別、プライオリティクラス種別のいずれか１に応じて設定することを特徴とする請求項１〜４のいずれか１項に記載の無線通信制御システム。
【請求項６】
前記受信器種別は、レイク受信器、等化器、受信ダイバーシチ、干渉キャンセラ、最大伝送速度、最大受信コード数に応じた種別であることを設定することを特徴とする請求項５に記載の無線通信制御システム。
【請求項７】
複数の移動局に対して制御信号を送信する共有制御チャネルの送信電力を制御する無線基地局であって、
前記共有制御チャネルの送信電力の下限値を設定し、前記共有制御チャネルの送信電力が前記下限値よりも小さくなった場合に、前記共有制御チャネルの送信電力を前記下限値に設定する送信電力下限値設定部を備えることを特徴とする無線基地局。
【請求項８】
複数の移動局に対して制御信号を送信する共有制御チャネルの送信電力を制御する無線通信制御方法であって、
前記共有制御チャネルの送信電力の下限値を設定し、前記共有制御チャネルの送信電力が前記下限値よりも小さくなった場合に、前記共有制御チャネルの送信電力を前記下限値に設定するステップを含むことを特徴とする無線通信制御方法。
【発明の詳細な説明】
【技術分野】
【０００１】
本発明は、無線通信制御システム、無線基地局及び無線通信制御方法に関する。
【背景技術】
【０００２】
近年、上述の無線通信制御システムとして、ＩＭＴ−２０００において、より高速な下りリンクのパケット伝送方式であり、ピーク伝送速度の高速化や低伝送遅延や高スループット化等を目的とした「ＨＳＤＰＡ(High Speed Downlink Packet Access)方式」が仕様化されている（例えば、非特許文献１参照。）。
【０００３】
ＨＳＤＰＡは、１つの物理チャネルを複数の移動局で時間分割して共有して通信を行う伝送方式であり、瞬時、瞬時において、より無線品質の良い移動局にチャネルを割り当てるため、システム全体のスループットを向上させることが可能となる。
【０００４】
上述のように、１つの物理チャネルを複数の移動局で時間分割して共有して通信を行うためには、各ＴＴＩ（Transmission Time Interval）において、どの移動局がどの物理チャネルを用いて通信するかを通知する必要があるが、ＨＳＤＰＡ方式では、ＨＳ−ＳＣＣＨ（High Speed-Shared Control Channel）という共有制御チャネルを用いて複数の移動局に対して上述の通知を行っている。
【０００５】
ここで、無線基地局が、上記ＨＳ−ＳＣＣＨに割り当てる送信電力として、各移動局に個別に設定される付随個別チャネルＡ−ＳＰＣＨにオフセットをかけた値を設定する方法が開示されている（例えば、特許文献１参照。）。特許文献１では、上記オフセットの値は、上記ＨＳ−ＳＣＣＨの通信品質、例えば、ブロック誤り率に基づいて制御されることが記載されている。すなわち、例えば、ＨＳ−ＳＣＣＨの所要のブロック誤り率を１％と仮定すると、上記特許文献１による発明は、ＨＳ−ＳＣＣＨのブロック誤り率が１％となるように、上記オフセットの値をアウターループ的に制御することを特徴としている。
【０００６】
ところで、ＨＳ−ＳＣＣＨは、ＨＳＤＰＡにおける下りの制御チャネルであり、ＨＳ−ＳＣＣＨの送信から２スロット後に送信されるＨＳ−ＰＤＳＣＨ（トランスポートチャネルではＨＳ−ＤＳＣＨ）に関する情報をシグナリングするチャネルである（例えば、非特許文献２参照。）。ここで、ＨＳ−ＤＳＣＨに関する情報とは、ＨＳ−ＤＳＣＨが送信される移動局のＩＤ、送信フォーマット情報、すなわち、チャネライゼーションコードや変調方式、トランスポートブロックサイズ、Ｈ−ＡＲＱにおけるRedundancy Version parameters等である（例えば、非特許文献３参照。）。よって、ＨＳ−ＳＣＣＨが、当該ＴＴＩにおいてＨＳ−ＳＣＣＨ及びＨＳ−ＤＳＣＨが割り当てられた移動局において正しく受信されなかった場合には（すなわち、ＨＳ−ＳＣＣＨの復調・復号において誤りが発生した場合には）、上記移動局は、ＨＳ−ＳＣＣＨの情報を受信することができず、結果として、ＨＳ−ＤＳＣＨを受信しない。ところで、ＨＳＤＰＡにおいては、Ｈ−ＡＲＱを行っているため、移動局は、ＨＳ−ＳＣＣＨ及びＨＳ−ＤＳＣＨを受信した場合、ＨＳ−ＤＳＣＨの復号結果（ＯＫ／ＮＧ）を、所定のタイミングで、上りリンクのＨＳＤＰＡ用の制御チャネルＨＳ−ＤＰＣＣＨを用いて、無線基地局に送信する。よって、上記移動局が、上記ＨＳ−ＳＣＣＨの復号に失敗すると、移動局は、上記ＨＳ−ＤＰＣＣＨを所定のタイミングで送信しないことになる。しかしながら、無線基地局は、ＨＳ−ＳＣＣＨ及びＨＳ−ＤＳＣＨを、上記移動局に送信したため、上記ＨＳ−ＤＰＣＣＨを受信しようと試みる。この場合、無線基地局は、一定の確率で、送信されていないＨＳ−ＤＰＣＣＨを、送信されたと判定し、送達確認情報であるＡＣＫあるいはＮＡＣＫを検出する。ここで、ＡＣＫと検出した場合、無線基地局は、上記ＨＳ−ＤＳＣＨが上記移動局において正しく受信されていないにもかかわらず、正しく受信されたと判断し、上記ＨＳ−ＤＳＣＨにマッピングされていたデータを上位レイヤにあげ、その次のデータの送信を開始する。これは、すなわち、上位レイヤにおいて再送が発生することを意味する。
【０００７】
以上をまとめると、ＨＳ−ＳＣＣＨが誤った場合、上位レイヤの再送を発生させる可能性がある。又、一般的に、上記上位レイヤの再送によるＨＳＤＰＡのスループットへの影響は、より高速のスループットが実現されている場合に顕著であることが知られている。
【非特許文献１】「3rd Generation Partnership Project」,インターネット＜http://3gpp.org＞
【非特許文献２】3GPP,TS25.211
【非特許文献３】3GPP,TS25.212
【特許文献１】特開２００４−３１２５３０号公報
【発明の開示】
【発明が解決しようとする課題】
【０００８】
上述したように、特許文献１において記載されているＨＳ−ＳＣＣＨの送信電力の制御方法は、ＨＳ−ＳＣＣＨの誤り率が一定の値になるように、すなわち、セル端でもセルの中央でも、低速移動時にも高速移動時にも、ＨＳ−ＳＣＣＨの誤り率が一定の値になるように、ＨＳ−ＳＣＣＨの送信電力を制御することを特徴としている。
【０００９】
しかしながら、ＨＳ−ＳＣＣＨの誤りは、上位レイヤにおける再送を発生させる可能性をもっており、又、上記上位レイヤにおける再送は、特にＨＳＤＰＡにおいて高速スループットが実現可能な環境において、ＨＳＤＰＡのスループット特性を劣化させる、という課題があった。
【００１０】
そこで、本発明は、上記の課題に鑑み、上記ＨＳＤＰＡにおいて高速スループットが実現可能な環境において、ＨＳ−ＳＣＣＨの品質をより高品質に設定することによって、より安定して高速な伝送速度を実現する無線通信制御システム、無線基地局及び無線通信制御方法を提供することを目的とする。
【課題を解決するための手段】
【００１１】
上記目的を達成するため、本発明の第１の特徴は、複数の移動局に対して制御信号を送信する共有制御チャネルの送信電力を制御する無線通信制御システムであって、共有制御チャネルの送信電力の下限値を設定し、共有制御チャネルの送信電力が下限値よりも小さくなった場合に、共有制御チャネルの送信電力を下限値に設定する送信電力下限値設定部を備える無線通信制御システムであることを要旨とする。
【００１２】
第１の特徴に係る無線通信制御システムによると、ＨＳ−ＳＣＣＨの送信電力に下限値を設定することにより、上記ＨＳＤＰＡにおいて高速スループットが実現可能な環境において、ＨＳ−ＳＣＣＨの品質を、より高品質に設定することにより、より安定して高速な伝送速度を実現することができる。
【００１３】
又、第１の特徴に係る無線通信制御システムの送信電力下限値設定部は、各移動局に個別に送信される個別チャネルの送信電力にオフセットをかけることによって、共有制御チャネルの送信電力を制御してもよい。
【００１４】
又、第１の特徴に係る無線通信制御システムの送信電力下限値設定部は、オフセットを共有制御チャネルの品質に基づいて制御してもよい。
【００１５】
又、上記共有制御チャネルの品質は、共有制御チャネルのブロック誤り率であってもよい。
【００１６】
又、第１の特徴に係る無線通信制御システムの送信電力下限値設定部は、下限値を、移動局のサービス種別、契約種別、受信器種別、セル種別、プライオリティクラス種別のいずれか１に応じて設定してもよい。
【００１７】
又、上記受信器種別は、レイク受信器、等化器、受信ダイバーシチ、干渉キャンセラ、最大伝送速度、最大受信コード数に応じた種別であってもよい。
【００１８】
本発明の第２の特徴は、複数の移動局に対して制御信号を送信する共有制御チャネルの送信電力を制御する無線基地局であって、共有制御チャネルの送信電力の下限値を設定し、共有制御チャネルの送信電力が下限値よりも小さくなった場合に、共有制御チャネルの送信電力を下限値に設定する送信電力下限値設定部を備える無線基地局であることを要旨とする。
【００１９】
第２の特徴に係る無線基地局によると、ＨＳ−ＳＣＣＨの送信電力に下限値を設定することにより、上記ＨＳＤＰＡにおいて高速スループットが実現可能な環境において、ＨＳ−ＳＣＣＨの品質を、より高品質に設定することにより、より安定して高速な伝送速度を実現することができる。
【００２０】
本発明の第３の特徴は、複数の移動局に対して制御信号を送信する共有制御チャネルの送信電力を制御する無線通信制御方法であって、共有制御チャネルの送信電力の下限値を設定し、共有制御チャネルの送信電力が下限値よりも小さくなった場合に、共有制御チャネルの送信電力を下限値に設定するステップを含む無線通信制御方法であることを要旨とする。
【００２１】
第３の特徴に係る無線通信制御方法によると、ＨＳ−ＳＣＣＨの送信電力に下限値を設定することにより、上記ＨＳＤＰＡにおいて高速スループットが実現可能な環境において、ＨＳ−ＳＣＣＨの品質を、より高品質に設定することにより、より安定して高速な伝送速度を実現することができる。
【発明の効果】
【００２２】
本発明によると、ＨＳＤＰＡにおいて高速スループットが実現可能な環境において、ＨＳ−ＳＣＣＨの品質をより高品質に設定することによって、より安定して高速な伝送速度を実現する無線通信制御システム、無線基地局及び無線通信制御方法を提供することができる。
【発明を実施するための最良の形態】
【００２３】
次に、図面を参照して、本発明の実施の形態を説明する。以下の図面の記載において、同一又は類似の部分には、同一又は類似の符号を付している。ただし、図面は模式的なものであることに留意すべきである。
【００２４】
（無線通信制御システムの構成）
本発明の実施形態に係る無線通信制御システムの構成について、図１及び図２を参照して説明する。
【００２５】
本実施形態に係る無線通信制御システム１０の全体構成図を、図１に示す。図１に示すように、本実施形態に係る無線通信制御システム１０は、複数の移動局ＵＥ２０ａ、２０ｂ、２０ｃ、２０ｄと無線接続されている無線基地局装置ＢＳ３０と、当該無線基地局装置ＢＳ３０を管理する無線制御装置ＲＮＣ４０とによって構成されている。尚、本実施形態では、無線基地局装置ＢＳと無線通信を行う移動局の数を「４」としているが、「４」以外の数であってもよい。
【００２６】
尚、本実施形態では、無線基地局装置ＢＳ３０及び無線制御装置ＲＮＣ４０によって無線通信制御システムが構成されている場合について説明するが、本発明は、かかる場合に限定されるものではなく、無線基地局装置ＢＳ３０のみによって無線通信制御システム１０が構成される場合や、無線制御装置ＲＮＣ４０のみによって無線通信制御システム１０が構成される場合にも適用可能である。
【００２７】
又、本実施形態に係る無線通信制御システム１０は、Ｗ−ＣＤＭＡ方式を用いたＩＭＴ−２０００システムにおいて、ＨＳＤＰＡ方式を適用した場合に、複数の移動局ＵＥ２０ａ、２０ｂ、２０ｃ、２０ｄに対して制御信号を送信する共有制御チャネル（以下、ＨＳ−ＳＣＣＨ）の新規の送信電力を制御するものである。
【００２８】
ここで、移動局ＵＥ２０ａ、２０ｂ、２０ｃ、２０ｄは、ＨＳＤＰＡ方式を用いて無線基地局装置ＢＳ３０と無線通信を行う移動局であり、それぞれ上りリンクを用いてＨＳ−ＳＣＣＨに付随する個別チャネル（以下、Ａ−ＤＰＣＨ）の送信電力制御のための送信電力制御コマンド（ＴＰＣコマンド）を無線基地局装置ＢＳ３０に報告する。
【００２９】
本実施形態に係る無線通信制御システム１０は、図２に示すように、複数のＡ−ＤＰＣＨ送信電力制御部１１ａ、１１ｂ、１１ｃ、１１ｄと、スイッチ１２と、送信電力下限値設定部１３と、ＨＳ−ＳＣＣＨ送信電力制御部１４とを具備している。尚、図２においては、上記無線通信制御システム１０のうち、ＨＳ−ＳＣＣＨの送信電力を制御し、設定する部分のみを記載している。
【００３０】
Ａ−ＤＰＣＨ送信電力制御部１１ａ、１１ｂ、１１ｃ、１１ｄは、移動局ＵＥ２０ａ、２０ｂ、２０ｃ、２０ｄのそれぞれに対して設けられているものであって、各移動局ＵＥ２０ａ、２０ｂ、２０ｃ、２０ｄから送信された送信電力制御コマンドを用いて、各移動局ＵＥ２０ａ、２０ｂ、２０ｃ、２０ｄのＡ−ＤＰＣＨの送信電力制御を行う。
【００３１】
スイッチ１２は、ＴＴＩ毎に、ＨＳ−ＳＣＣＨ及びＨＳ−ＰＤＳＣＨ（トランスポートチャネルではＨＳ−ＤＳＣＨ）を割り当てるようにスケジューリングされた移動局ＵＥのＡ−ＤＰＣＨの送信電力を、当該移動局ＵＥの識別情報とともに、ＨＳ−ＳＣＣＨ送信電力制御部１４に送信する。
【００３２】
送信電力下限値設定部１３は、ＨＳ−ＳＣＣＨの送信電力の下限値を設定し、上記ＨＳ−ＳＣＣＨの送信電力の下限値を、ＨＳ−ＳＣＣＨ送信電力制御部１４に通知する。
【００３３】
又、上記ＨＳ−ＳＣＣＨの送信電力の下限値は、移動局に係るサービス種別や契約種別、受信器種別（ＲＡＫＥ受信器、等化器や受信ダイバーシチ、干渉キャンセラや、その他のＵＥのCapability（受信可能な変調方式や受信可能な最大コード数、受信可能な最大ビット数等によってクラス分けされた指標）等）、セル種別、プライオリティクラス種別に基づいて設定されることができる。
【００３４】
例えば、送信電力下限値設定部１３は、当該移動局の最大受信伝送速度が３．６Ｍｂｐｓである場合に、上記ＨＳ−ＳＣＣＨの送信電力の下限値を２５ｄＢｍと設定し、当該移動局の最大受信伝送速度が１４．４Ｍｂｐｓである場合に、上記ＨＳ−ＳＣＣＨの送信電力の下限値を２８ｄＢｍと設定してもよい。この場合、より伝送速度の大きい移動局に対して、ＨＳ−ＳＣＣＨの送信電力の下限値を高めに設定することにより、上記より伝送速度の大きい移動局のＨＳ−ＳＣＣＨの品質を高く維持し、より高速な伝送速度を実現することが可能となる。
【００３５】
又、例えば、当該移動局のプライオリティクラスが高い場合に、上記ＨＳ−ＳＣＣＨの送信電力の下限値を２９ｄＢｍに設定し、当該移動局のプライオリティクラスが低い場合に、上記ＨＳ−ＳＣＣＨの送信電力の下限値を２４ｄＢｍに設定してもよい。この場合、プライオリティクラスの高い移動局に対して、ＨＳ−ＳＣＣＨの送信電力の下限値を高めに設定することにより、プライオリティクラスの高い移動局のＨＳ−ＳＣＣＨの品質を高く維持し、より高品質な通信を提供することが可能となる。
【００３６】
又、例えば、当該移動局のサービス種別がストリーミングである場合に、上記ＨＳ−ＳＣＣＨの送信電力の下限値を３３ｄＢｍに設定し、当該移動局のサービス種別がＦＴＰによるダウンロードである場合に、上記ＨＳ−ＳＣＣＨの送信電力の下限値を２７ｄＢｍに設定してもよい。この場合、ストリーミングのような即時性の高いサービスに対しては、より高品質はＨＳ−ＳＣＣＨを送信することにより、上位レイヤにおける再送を低減することが可能となる。一方、ＦＴＰによるダウンロードのような、遅延に対する要求が低いサービスに対しては、少し品質の低いＨＳ−ＳＣＣＨを送信することにより、電力リソースを効率的に使用することが可能となる。すなわち、サービス種別に応じたＨＳ−ＳＣＣＨの送信電力の下限値を設定することが可能となる。
【００３７】
ＨＳ−ＳＣＣＨ送信電力制御部１４は、当該ＴＴＩにおいて、ＨＳ−ＳＣＣＨ及びＨＳ−ＤＳＣＨを割り当てるようにスケジューリングされた移動局ＵＥのＨＳ−ＳＣＣＨの送信電力を設定する。
【００３８】
例えば、ＨＳ−ＳＣＣＨ送信電力制御部１４は、ＨＳ−ＳＣＣＨに付随するＡ−ＤＰＣＨの送信電力と、当該ＨＳ−ＳＣＣＨの通信品質とに基づいて、当該ＴＴＩにおけるＨＳ−ＳＣＣＨの送信電力を設定する。すなわち、例えば、ＨＳ−ＳＣＣＨ送信電力制御部１４は、以下の式（１）
（ＨＳ−ＳＣＣＨの送信電力）＝（Ａ−ＤＰＣＨの送信電力）＋（オフセット電力）                ……式（１）
を用いて設定される。ここで、上記オフセット電力は、たとえば、以下のように、ＨＳ−ＳＣＣＨの通信品質に基づいてアウターループ的に制御される。
【００３９】
まず、ＨＳ−ＳＣＣＨの通信品質は、ＨＳＤＰＡの上りリンクにおける制御チャネルＨＳ−ＤＰＣＨにマッピングされているＨＳ−ＤＳＣＨの送達確認情報により推定することができる。すなわち、上記送達確認情報がＡＣＫあるいはＮＡＣＫである場合には、ＨＳ−ＳＣＣＨが正しく受信され、ＨＳ−ＤＳＣＨの復調・復号が行なわれたことを示し、上記送達確認情報がＤＴＸである場合には、ＨＳ−ＳＣＣＨが正しく受信されず、結果としてＨＳ−ＤＳＣＨの復調・復号が行なわれなかったことを示す。よって、上記オフセット電力は、ＨＳ−ＳＣＣＨの目標のブロック誤り率をＢＬＥＲtargetとし、Δを任意の定数とすると、
送達確認情報がＡＣＫあるいはＮＡＣＫである場合：
→（オフセットの電力）＝（オフセットの電力）−Δ×ＢＬＥＲtarget
送達確認情報がＤＴＸである場合：
→（オフセットの電力）＝（オフセットの電力）＋Δ×（１−ＢＬＥＲtarget）
により、ＨＳ−ＳＣＣＨのブロックの誤り率が、目標のブロック誤り率となるように、ＨＳ−ＳＣＣＨの送信電力を制御することが可能となる。
【００４０】
そして、ＨＳ−ＳＣＣＨ送信電力制御部１４は、送信電力下限値設定部１３から取得したＨＳ−ＳＣＣＨの送信電力の下限値を用いて、以下のようにＨＳ−ＳＣＣＨの送信電力を制御する。すなわち、ＨＳ−ＳＣＣＨの送信電力が、上記ＨＳ−ＳＣＣＨの送信電力の下限値よりも小さければ、上記ＨＳ−ＳＣＣＨの送信電力を、上記ＨＳ−ＳＣＣＨの送信電力の下限値と同一の値に設定する。
【００４１】
ここで、上記においては、Ａ−ＤＰＣＨの送信電力と、ＨＳ−ＳＣＣＨの通信品質を用いてＨＳ−ＳＣＣＨの送信電力を制御し、その後に、ＨＳ−ＳＣＣＨの送信電力の下限値により、ＨＳ−ＳＣＣＨの送信電力に下限のリミットを設定する場合を記載したが、本発明の主旨は、ＨＳ−ＳＣＣＨの送信電力に下限のリミットを設定する点であるため、上記下限のリミットを設定する前のＨＳ−ＳＣＣＨの送信電力の制御方法は、上記方法と異なる方法でも構わない。例えば、Ａ−ＤＰＣＨの送信電力と、ＨＳ−ＳＣＣＨの通信品質を用いたＨＳ−ＳＣＣＨの送信電力制御方法以外の制御方法としては、移動局から通知される下りの無線品質情報ＣＱＩを用いた送信電力制御方法などが考えられる。
【００４２】
（無線通信制御方法）
次に、図３を参照して、本実施形態に係る無線通信制御システム１０の動作を説明する。図３は、Ｗ−ＣＤＭＡ方式を用いたＩＭＴ−２０００システムにおいて、ＨＳＤＰＡ方式で，ＨＳ−ＳＣＣＨの送信電力制御において，さらに下限値による電力制御を行う動作の一例をフローチャートに示したものである。
【００４３】
まず、ステップＳ１０１において、ＨＳ−ＳＣＣＨ送信電力制御部１４は、当該ＴＴＩにおいて、ＨＳ−ＳＣＣＨ及びＨＳ−ＤＳＣＨを割り当てるようにスケジューリングされた移動局ＵＥのＨＳ−ＳＣＣＨの送信電力を設定する。
【００４４】
次に、ステップＳ１０２において、ステップＳ１０１において設定した上記移動局ＵＥのＨＳ−ＳＣＣＨの送信電力が、送信電力下限値設定部１３によって設定されたＨＳ−ＳＣＣＨの送信電力の下限値よりも小さいか否かを判定し、上記ＨＳ−ＳＣＣＨの送信電力が、上記ＨＳ−ＳＣＣＨの送信電力の下限値よりも小さい場合には、ステップＳ１０３に進み、上記ＨＳ−ＳＣＣＨの送信電力が、上記ＨＳ−ＳＣＣＨの送信電力の下限値よりも小さくない場合には、上記ＨＳ−ＳＣＣＨの送信電力を下限値でリミットする必要がないと判断し、処理を終了する。
【００４５】
次に、ステップＳ１０３において、ＨＳ−ＳＣＣＨ送信電力制御部１４は、当該ＴＴＩにおける、上記移動局ＵＥのＨＳ−ＳＣＣＨの送信電力を、上記ＨＳ−ＳＣＣＨの送信電力の下限値と同一の値に設定する。
【００４６】
尚、本発明に係る無線通信制御システム及び無線通信制御方法の適用範囲は、Ｗ−ＣＤＭＡ方式のＩＭＴ−２０００システムにおける高速パケット伝送システムであるＨＳＤＰＡ方式に限らず、ＣＤＭＡ−ＴＤＤ方式やＣＤＭＡ２０００方式、あるいは１ｘＤＥＶ−ＤＯ方式等の高速パケット伝送システムにおいても有効である。
【００４７】
（作用及び効果）
本実施形態に係る無線通信制御システム１０によれば、当該移動局が、共有制御チャネル（ＨＳ−ＳＣＣＨ）を制御する際に、高速なスループットを実現できる環境において、ＨＳ−ＳＣＣＨの品質をより高品質に設定することができ、より安定で高速なＨＳＤＰＡのサービスを提供することが可能となる。
【００４８】
例えば、セルの中央のある場所で、ＨＳ−ＳＣＣＨの目標誤り率１％を実現可能な送信電力が２４ｄＢｍであった場合に、ＨＳ−ＳＣＣＨの下限値を２７ｄＢｍとすることにより、上記場所において、２７ｄＢｍでＨＳ−ＳＣＣＨを送信することになり、結果として、ＨＳ−ＳＣＣＨの誤り率は、１％よりもさらに小さくなる。結果として、上位レイヤにおける再送確率が小さく、より安定して高速はＨＳＤＰＡサービスを提供することが可能となる。
【００４９】
又、各移動局に個別に送信される個別チャネルの送信電力にオフセットをかけることによって、共有制御チャネルの送信電力を制御することができる。このため、より適切な送信電力に制御することができる。
【００５０】
又、上記オフセットは、共有制御チャネルの品質に基づいて制御することができる。このため、共有制御チャネルをより高品質に設定することができ、より安定で高速なＨＳＤＰＡのサービスを提供することができる。又、上記共有制御チャネルの品質は、共有制御チャネルのブロック誤り率であってもよい。
【００５１】
又、送信電力下限値設定部１３は、下限値を、移動局のサービス種別、契約種別、受信器種別、セル種別、プライオリティクラス種別のいずれか１に応じて設定することができる。このため、様々な用途に応じて、適切に送信電力を設定することができる。又、上記受信器種別は、レイク受信器、等化器、受信ダイバーシチ、干渉キャンセラ、最大伝送速度、最大受信コード数に応じた種別であってもよい。
【００５２】
（その他の実施の形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００５３】
例えば、図１において、無線通信制御システム１０は、無線基地局装置ＢＳ３０及び無線制御装置ＲＮＣ４０によって構成されていると説明したが、図２に示す各構成要件（Ａ−ＤＰＣＨ送信電力制御部１１ａ、１１ｂ、１１ｃ、１１ｄ、スイッチ１２、送信電力下限値設定部１３、ＨＳ−ＳＣＣＨ送信電力制御部１４）は、無線基地局装置ＢＳ３０内に配置されても良い。同様に、図２に示す各構成要件（Ａ−ＤＰＣＨ送信電力制御部１１ａ、１１ｂ、１１ｃ、１１ｄ、スイッチ１２、送信電力下限値設定部１３、ＨＳ−ＳＣＣＨ送信電力制御部１４）は、無線制御装置ＲＮＣ４０内に配置されてもよい。
【００５４】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００５５】
【図１】本実施形態に係る無線通信制御システムの全体構成図である。
【図２】本実施形態に係る無線通信制御システムの機能ブロック図である。
【図３】本実施形態に係る無線通信制御方法を示すフローチャートである。
【符号の説明】
【００５６】
１０…移動通信システム
２０ａ、２０ｂ、２０ｃ、２０ｄ…移動局
３０…無線基地局装置
４０…無線制御装置
１１ａ、１１ｂ、１１ｃ、１１ｄ…Ａ−ＤＰＣＨ送信電力制御部
１２…スイッチ
１３…送信電力下限値設定部
１４…ＨＳ−ＳＣＣＨ送信電力制御部
【図１】
2006303642.tif 000003
【図２】
2006303642.tif 000004
【図３】
2006303642.tif 000005